(57)【要約】【課題】近年、予測される津波発生に対し、避難施設や住民への避難方法の指導などが実施されているが、このことは人命救助面から重要な対策である。一方、津波防御対策として、捨石や消波ブロックなどを積上げるなどして海岸防波堤や離岸堤の設置なども行われている。しかし、このような対策だけでは、津波の上陸を防ぐことは困難で、住民の生命を危うくしたり、また、住民や公共の財産を破壊し地域に重大な損害を及ぼすことになりかねない。【解決手段】そこで、図１に示すように、この発明では、海岸線とほぼ平行にその一定距離の沖合に基礎マウンド部２を設け、その上に予想される連続波にも対応できる高さの直立堤体部１を設置し、さらに、この壁面に入射波通過窓を開け、津波エネルギーの概ね７０％以上を減殺させ、初期の目的を達成させる。またこの構造物は、人工魚礁として、魚介類の食物連鎖及び棲み分けをも促進させるものである。【選択図】図１
2005201026.tif 000002
【特許請求の範囲】
【請求項１】
海岸線とほぼ平行に、同海岸線より一定距離沖合にマウンド部を設置し、その上に直立堤体部を設け、この直立堤体部は、入射波が透過可能なように、各壁面に四角型や丸型の開口窓を設け、各壁面に対する開口窓の面積割合は、一定割合を設定して、原則として外洋側壁面から海岸側壁面へと、そして、左右端側壁面から中央部へ移動するにしたがって面積割合は小さくなる傾向を有し、また、直立堤体部の天端面までの高さ、外洋側壁面の左右長さ、奥行き長さなどは、津波エネルギーの減殺効果、海底地形、海岸までの距離などにより決まり、天端面の高さは、予測される津波に耐えられる高さが必要であり、この直立堤体部間の設置間隔は、船等の航行が可能なことなどを特徴とする津波エネルギー減殺用等の構造物。
【請求項２】
前請求項１の直立堤体部に係わる波の透過構造、開口窓の形状、面積比率などは、津波エネルギーの減殺機能と同時に、魚介類の集約機能に関係し魚介類の食物連鎖及び魚介類の棲み分け及び増養殖の必要等からその機能を共有することを特徴とする津波エネルギー減殺用等の構造物。
【発明の詳細な説明】
【技術分野】
【０００１】  本発明は、外洋に面した海岸の一定沖合に設置され、津波のエネルギー減殺用等に供する構造物に関する。【０００２】  さらに魚介類等の食物連鎖及び棲み分け効率等を兼ねた魚介類の増養殖を大規模に展開する技術に関する。
【背景技術】
【０００３】  波消用、防災用などの岸壁堤防、捨石の積上げ方式などによる海岸周辺の防波堤など、台風レベル対応の構造物ついては、多くの文献などが見られるが、海底地震などによる大津波対応の文献などは少ない。本発明についての情報源は、主に実態観測等による。
【非特許文献】新版港湾工学、渡辺彌作著、コロナ社、１９９５年版、Ｐ．１３〜，及びＰ．１８１〜。
【発明の開示】
【発明が解決しようとする課題】
【０００４】  近年、海底地震の発生について予告が頻繁に出されており、これによって発生が危惧される津波に対し、避難施設の設置及び避難方法の啓蒙活動が各地で実施され、人命救助予防対策などが講ぜられている。一方、津波防御対策として、海岸や離岸方式で、捨石や波消ブロックなどを積上げた防波堤などが設けられたり、海岸線での防波堤や河口周辺の水門などの対策は相当普及しているが、しかし、海底地震などによる津波エネルギーの直接減殺対策面では、さらに充実した対応策が望まれる。【０００５】  津波の上陸は、当該地域住民の生命を危うくし、地域住民の財産や公共財産を破壊し、重大な災害を引き起こす。しかし、現在考えられえる技術では、津波のエネルギーを完全に消滅させる対策は困難である。そこで、７０％程度以上の津波エネルギーを減殺できる構造物が望まれる。
【課題を解決するための手段】
【０００６】  この発明では、海岸線とほぼ平行に、そして海岸線の一定距離の沖合に、捨石またはコンクリート枠に礎石あるいはコンクリートブロック等を配しマウンド部とする。このマウンド部は、予想される波力、海底の地形状態などにより、必要な対応策は適用される。このマウンド部の上に直立堤体部を設ける。【０００７】  直立堤体部は、平面部を碁盤目状に組合わせた壁面構造を上方に伸ばし、天端面は解放型で、その高さは、予測される連続波にも対応できるものとし、そして各壁面には入射波用の開口窓を設け、壁面に対する開口窓の割合は５０％〜１０％程度、これを通過させながら、津波のエネルギーを減殺するものである。また直立堤体部間の間隔距離は、船の航行などの必要から設ける。【０００８】  この構造体を通過した津波エネルギーの加速度は減衰しており、海岸側壁面から海岸までは遊水海域となる。なお、この透過窓の構造は魚礁機能もあり、窓の形状と大きさは魚介類の食物連鎖及び棲み分けに役立つ。
【発明の効果】
【０００９】  津波等の入射波は当構造物の壁面の開口窓等を通過して、津波のエネルギーの７０％程度以上を減殺し、当地域住民の生命や住民財産、及び公共財産等の被害を少なくすることが可能である。【００１０】  この構造物は、津波の入射波エネルギーの減殺効果を第一目的とするが、また大規模な魚礁としての機能をも有する。そして、この魚礁単独でも、ある程度の漁獲増が期待できる。また、この構造物の海岸側海域では、荒波の少ない海域が得られるので、魚介類の養殖などが実現しやすくなる。【００１１】  また、入射波エネルギーに対し、海岸側壁面から海岸線までの海域は、遊水海域となるが、遊水海域の海水は入射波に対する反射波の機能を持つ。このためには海岸周辺の防波堤や河口周辺の水門等は、十分整備されることが望まれる。例えば、水門の開閉は、現場に出て人力により動かすものより、有線無線に拘りなく、より安全な場所からの遠隔操作による方式が望まれる。また、水門扉の開閉構造は、観音式よりも上下または左右スライド式にするなどが望まれる。【００１２】  本発明の実施効果は、津波による災害の軽減、漁獲高の増大及び魚介類の自給率向上等が期待できるが、さらに観光、海難救済の基点、発電基点などの機能を合わせ持つことが若干の設計変更によって可能である。
【発明の実施するための最良の形態】
【００１３】  本発明に係わる津波エネルギーの減殺を行う構造物実施形態につき、添付図を参照しながら以下詳細に説明を行う。
【００１４】  図１、図３により、コンクリート枠で礎石やコンクリートブロックを押え、または捨石により設けた基礎マウンド部２の上に直立堤体部１を形成する。このマウンド部に使用する基礎石類は、波力や潮流の浮力等により容易に移動しないようになっていることが必要である。
【００１５】  なお、このマウンド部２は、海底周辺の魚礁機能も分担しているが、流砂の抑止も重要機能として考慮する必要がある。
【００１６】  この直立堤体部は、碁盤目状の平面構造上に上方解放型に各壁面が形成され、外洋側壁面１０及び回りの壁面高さは、予想される津波による連続波３にも対応できる必要があり、、周辺海底の地形などにもよるが、平均海面９から天端面１３までの高さは十数メートル余りを要する。なお、この壁面は、海岸側壁面１１、左右側端壁面１４、１５を有し、内部は仕切壁１２が海底部から天端面まで通り抜けている。
【００１７】  そして、この直立堤体部の各壁面には、津波等による入射エネルギーを減殺する等のために四角型や丸型等の入射波通過窓２０が開いている。この開口窓の対壁面面積に対する面積割合は概ね５０％〜１０％であり、基本的には外洋側壁面１０から海岸側壁面１１に移動するに従って、また左右両側端壁面１４、１５から中央壁面部に移動するに従って面積割合は小さくなる傾向を有する。なお、入射波通過窓の形状について、外洋側壁面の全面及び左右両側面の外洋側より１〜２列程度までは、四角型の窓が望まれる。つまり津波は海岸線に対し方線方向のみより接近するものではなく、地形によっては、若干斜め方向より襲来することもあるからである。
【００１８】  図２は、直立堤体部の設置状態の平面概念図であるが、当直立堤体部間の左右離間隔長さは、津波エネルギーの減殺効果、船の航行条件、潮流状況などから決められるが、この堤体部間の離間隔長さをａ，同堤体部の左右両端間の長さはｂ，奥行き長さをｃとして、例えば、ａ＝２０ｍを標準とすると、ｃ＝ａ×１、５〜２，０，ｂ＝ａ×３〜４以上になる。
【００１９】  前述までの説明の結果、津波の連続波３の直立堤体部通過後は、津波エネルギーの加速度が減衰されて、海面４のレベルになり、間歇波５、６、７の直立堤体部通過後は、海面８のレベルになる。
【００２０】  直立堤体部の入射波通過窓は、津波のエネルギー減殺用を主目的として設けるが、この構造物は、そのまま人工魚礁としても使用できるもので、魚種による習性、特徴をできるだけ生かし組み合わせて、さらに魚介類の食物連鎖及び棲み分けの都合等の調和点をこの構造物に添わせながら、この魚礁機能を生かす。
【００２１】  さらに食物連鎖及び棲み分けの都合から、入射波通過窓の形状や大きさを決めること以外に、壁面のコンクリート表面は、場所により、中性化及び多孔性の材料を混入して仕上げる。これによって、海水浄化、珪藻類、海草類や珊瑚の発生、繁殖が展開されることによって、魚介類の棲み分けが促進され，さらに魚介類の増繁殖が期待される。
【図面の簡単な説明】
【００２２】
【図１】  本発明に係わる津波エネルギーの減殺構造物の直立堤体部１と、基礎マウンド部２より構成される構造部の実施例を示す鳥瞰図
【図２】  図１の構造部の直立堤体部の設置配列例を概念的に示す平面図
【図３】  図２に示す本発明に係わる構造物のＡ−Ａ線断面概念図
【符号の説明】
【００２３】      １……直立堤体部            ２……基礎マウンド部
３……連続波水面            ４……連続波通過後水面
５……間歇波峰              ６……間歇波谷
７……間歇波水面            ８……間歇波通過後水面
９……平均海面            １０……外洋側壁面
１１……海岸側壁面          １２……内部仕切壁
１３……天端面              １４……左側端壁面
１５……右側端壁面
２０……入射波通過窓
ａ……直立堤体部間の左右間隔長さ
ｂ……外洋側及び海岸側壁面の左右端壁面間の長さ
ｃ……直立堤体部の奥行きの長さ
【図１】
2005201026.tif 000003
【図２】
2005201026.tif 000004
【図３】
2005201026.tif 000005